(57)【特許請求の範囲】
【請求項１】
路面の塵埃を掃き寄せるサイドブラシをサイドブラシ防塵カバーにより覆い、サイドブラシ防塵カバー内の空間をブロアの吸引気流が作用するホッパに吸引ダクトを介して連通した路面清掃車の吸塵装置において、サイドブラシ防塵カバーに塵埃回収路を設けて吸引ダクトに連通し、その塵埃回収路を車幅方向外側から塞ぐ開閉可能な開閉扉を設けたことを特徴とする路面清掃車の吸塵装置。
【請求項２】
開閉扉は、塵埃回収路を閉じたとき、サイドブラシ防塵カバーに設けたフックに係合し固定するキャッチが設けられていることを特徴とする請求項１記載の路面清掃車の吸塵装置。
【請求項３】
シャーシの下部に、サイドブラシ防塵カバーの後端からサイドブラシにより掃き寄せられた塵埃をホッパに回収する塵埃回収装置までを覆う車幅方向一方の側方シャーシ防塵カバーと、運転席の後から、塵埃回収装置までを覆う車幅方向他方の側方シャーシ防塵カバーと、運転席の後に他方の側方シャーシ防塵カバーとサイドブラシ防塵カバー間を覆う前側シャーシ防塵カバーとを設けたことを特徴とする請求項１または２記載の路面清掃車の吸塵装置。
【請求項４】
サイドブラシ防塵カバーの天板と底板間に車体全長方向に伸びる塵埃回収路を形成し、塵埃回収路の吸引口がサイドブラシ防塵カバー内に向けてサイドブラシの前部分で開口することを特徴とする請求項１〜３何れか１項記載の路面清掃車の吸塵装置。
【請求項５】
天板に前板と後板と車幅方向内側の側板とを設け、天板の車幅方向中間位置で前板と後板間に仕切りを設け、略Ｌ字形状の底板を仕切りと後板に溶着して下方に向けて伸びる吸引路と車体全長方向に伸びる塵埃通路とから成る略Ｌ字形状の塵埃回収路を形成し、塵埃回収路の前側の吸引路の車幅方向外側を塞ぐように車幅方向外側の側板を設け、塵埃通路の側面を塞ぐ開閉扉を揺動可能にピン連結し、車幅方向外側の側板に外側防塵フラップの前部を固着すると共にその前部より後側の上部を開閉扉に固着して開閉扉の開閉に伴って折り曲げ可能とし、前板と後板と車幅方向内側の側板の下部分に夫々防塵フラップを取付けたことを特徴とする請求項１〜４何れか１項記載の路面清掃車の吸塵装置。
【発明の詳細な説明】
【０００１】
【発明の属する技術分野】
この発明は、サイドブラシをサイドブラシ防塵カバーにより覆って構成した空間である塵埃吸引室をホッパに連通し、サイドブラシにより舞い上がった塵埃を塵埃吸引室からホッパ内に吸引回収する路面清掃車の吸塵装置に関する。
【０００２】
【従来の技術】
上記のような路面清掃車として、例えば、▲１▼特開平６−１２８９１９号に開示のものがある。これによれば、清掃車は、ブロアにより吸引気流が作用するホッパに、サイドブラシによって掃き寄せられた塵埃をサイドブラシ後方のメインブラシで掃き上げて回収するようになっている。そのサイドブラシは、覆い部材により覆われている。覆い部材にはジャバラホースが接続されてサイドブラシ用回収路とされている。サイドブラシ用回収路は車体前方の覆い部材から、車体内を通って、サイドブラシ後方のメインブラシに向けて伸びており、メインブラシ用回収口の近傍に設けられたサイドブラシ用回収口に接続され、ホッパに連通されている。サイドブラシにより塵埃を掃き寄せた際に舞い上がった粉塵は、ホッパに作用する吸引気流がサイドブラシ用回収路を介して覆い部材内に作用し、ホッパに吸引回収されるようになっている。また、▲２▼特公昭６１−２５８５４号に開示のものでは、塵埃回収タンクに吸引管を吸引ホースを介して連通し、サイドブルーム（サイドブラシ）を防塵カバーと床板で囲み、その防塵カバーの開口を吸引管に接続している。この床板と防塵カバーとでサイドブルームを囲むことで、サイドブルームが土砂（塵埃）を掃き出した際に舞い上がった土砂を防塵カバーによって吸引管まで導き、その土砂を吸引管によって塵埃回収タンク内に吸引回収するようになっている。
【０００３】
【発明が解決しようとする課題】
前記従来の技術に記載の▲１▼では、サイドブラシによって塵埃を掃き寄せた際に舞い上がった塵埃を覆い部材に連通したサイドブラシ用回収路によってホッパに回収しており、清掃作業環境をクリーンに保つようにしている。しかしながら、サイドブラシ用回収路はジャバラホースで構成されおり、このようなホースやパイプでは、吸引した塵埃が内部に付着、蓄積すると清掃することは、構造上極めて困難であり、吸引能力が低下する恐れがあった。また、サイドブラシの覆い部材と車体後方のメインブラシとの間は開放されているので、サイドブラシの覆い部材内で吸引されない掃き寄せられた塵埃が、メインブラシが移動してくるまでの間に、風で清掃車の側方外部に飛散してしまう問題があった。
【０００４】
また、▲２▼では、サイドブラシから後方の吸引管まで防塵カバーで覆っているので、サイドブラシによって掃き寄せられた塵埃が、吸引管が移動してくるまでの間に、飛散することが無く好ましいが、サイドブラシ近傍には、舞い上がった塵埃を吸引する手段はないので、吸引管が移動してくるまで吸引されることが無く、サイドブラシにより舞い上がった塵埃の回収効率が悪く、飛散した細かい塵埃が吸引管に吸引されるまでの間に防塵カバーと吸引管との境目等から外部にもれる恐れがあった。
本願の課題は、塵埃回収路を扉により開閉可能とすることで塵埃回収路内の清掃を容易とした路面清掃車の吸塵装置を提供することである。また、サイドブラシの前側近傍に塵埃回収路の吸引口を設けることで飛散した塵埃の回収効率を向上することである。更に、従来のようにシャーシの下をサイドブラシから塵埃回収装置までシャーシ防塵カバーで覆い、掃き寄せられた塵埃が塵埃回収装置に回収されるまでの間に車体外部に飛散しないようすることである。
【０００５】
【課題を解決するための手段】
前記課題解決のため本願発明では、路面の塵埃を掃き寄せるサイドブラシをサイドブラシ防塵カバーにより覆い、サイドブラシ防塵カバー内の空間をブロアの吸引気流が作用するホッパに吸引ダクトを介して連通した路面清掃車の吸塵装置において、サイドブラシ防塵カバーに塵埃回収路を設けて吸引ダクトに連通し、その塵埃回収路を車幅方向外側から塞ぐ開閉可能な開閉扉を設けたことを特徴とする（請求項１）。これによれば塵埃回収路を開放することができるので、塵埃回収路内を清掃することが容易であり、塵埃の吸引効率の低下を防ぐことができる。
【０００６】
開閉扉は、塵埃回収路を閉じたとき、サイドブラシ防塵カバーに設けたフックに係合し固定するキャッチが設けられていることを特徴とする（請求項２）。これによれば、開閉扉がフックとキャッチの係合により塵埃回収路の開口に密着するので、吸引力の低下を生じさせない。
【０００７】
シャーシの下部に、サイドブラシ防塵カバーの後端からサイドブラシにより掃き寄せられた塵埃をホッパに回収する塵埃回収装置までを覆う車幅方向一方の側方シャーシ防塵カバーと、運転席の後から、塵埃回収装置までを覆う車幅方向他方の側方シャーシ防塵カバーと、運転席の後に他方の側方シャーシ防塵カバーとサイドブラシ防塵カバー間を覆う前側シャーシ防塵カバーとを設けたことを特徴とする（請求項３）。サイドブラシから主ブラシまでシャーシ防塵カバーにより覆われているので、サイドブラシにより掃き寄せられた塵埃や舞い上がった塵埃の車体側方外部への通り抜けが防止される。
【０００８】
サイドブラシ防塵カバーの天板と底板間に車体全長方向に伸びる塵埃回収路を形成し、塵埃回収路の吸引口がサイドブラシ防塵カバー内に向けてサイドブラシの前部分で開口することを特徴とする（請求項４）。これによれば、サイドブラシの掃き寄せにより最も塵埃が飛散する位置近傍に吸引口が位置するので塵埃の吸引効率が高く、舞い上がった塵埃の大部分が塵埃回収路に吸引される。
【０００９】
天板に前板と後板と車幅方向内側の側板とを設け、天板の車幅方向中間位置で前板と後板間に仕切りを設け、略Ｌ字形状の底板を仕切りと後板に溶着して下方に向けて伸びる吸引路と車体全長方向に伸びる塵埃通路とから成る略Ｌ字形状の塵埃回収路を形成し、塵埃回収路の前側の吸引路の車幅方向外側を塞ぐように車幅方向外側の側板を設け、塵埃通路の側面を塞ぐ開閉扉を揺動可能にピン連結し、車幅方向外側の側板に外側防塵フラップの前部を固着すると共にその前部より後側の上部を開閉扉に固着して開閉扉の開閉に伴って折り曲げ可能とし、前板と後板と車幅方向内側の側板の下部分に夫々防塵フラップを取付けたことを特徴とする（請求項５）。このように各板を組付けて塵埃回収路を構成しているので、仕切りや底板が補強部材として機能し、この各板を組付けて構成されたサイドブラシ防塵カバーは堅牢になる。
【００１０】
【発明の実施の形態】
本願発明の実施の形態について図１〜図８に基づいて説明する。図１は路面清掃車１の概要を示すものであり、シャーシ２上には、前端部に運転席３が備えてある。運転席３の背部には、作業用エンジン４、吸引ブロア５などが配置されている。シャーシ２の後端には、塵埃を収容するホッパ６が設けられている。ホッパ６は、シャーシ２との間に介在されたホッパリフトシリンダ７により揺動支点８を中心に、後方にダンプ（傾動）する。ホッパ６内には清掃時には、吸引ブロア５の吸引気流が作用するようになっている。
【００１１】
ホッパ６は箱状になっており、上下方向の中間に矩形のごみ投入口９が形成されており、投入口９の下側には、開閉可能な排出ドア１０で覆われたごみ排出口１１が形成されている。ホッパ６の後側には、コンベアリフトフレーム１２を介して塵埃回収装置（ごみ掃き上げユニット）１３が昇降可能に取り付けてある。コンベアリフトフレーム１２は、車幅方向の左右において、上下方向に伸びる、ホッパ上部後端に揺動可能に軸支された枠部１４，１４より構成されている。左右の枠部１４，１４の間には、塵埃回収装置１３が配置される。図１に示すように、塵埃回収装置１３は、そのケーシング１３ａ内に主ブラシ１５と垂直周回コンベア（ごみ搬送コンベア）１６と逆回転パドル１７とを備えている。
【００１２】
主ブラシ１５は、車両前進時における進行方向の前方に向けて、路面Ｒの塵埃などを掃き上げるようになっている。垂直周回コンベア１６は、主ブラシ１５と同方向に回転するエンドレスチェン１８に周回方向に沿って所定ピッチで複数設けられた板状のコンベアスキュージ１９により、主ブラシ１５で掃き上げられた塵埃を上方に搬送し、逆回転パドル１７に投射するようになっている。逆回転パドル１７は、垂直周回コンベア１６から投射された塵埃をごみ投入口９に向けて投入するようになっている。２０は、塵埃回収装置１３を昇降する昇降駆動機構であり、ホッパ６の上部に車幅方向左右に夫々配置されてる。昇降駆動機構２０は、昇降シリンダ２１のピストンロッド先端にリフトチェン２２が巻回され、リフトチェン２２の一端がコンベアリフトフレーム１２に取付けられ、他端が塵埃回収装置１３に取付けられ、昇降シリンダ２１の駆動により塵埃回収装置１３をコンベアリフトフレーム１２に沿って昇降する。
【００１３】
前、後輪２３，２４の間には、周知のサイドブラシ２５が設けてあり、路面Ｒ上の塵埃等を車両幅方向中央に掃き寄せる。サイドブラシ２５は、図２〜図４に示すように、サイドブラシ防塵カバー２６に覆われており、サイドブラシ防塵カバー２６はシャーシ２に固定されている。サイドブラシ防塵カバー２６の天板２７は、図６に示すように、車両進行方向前側と後側とが折り曲げられて前板２８と後板２９に形成されている。天板２７の車幅方向内側は、折り曲げられて内側側板３０に形成されている（図４）。天板２７の車幅方向中間位置には、前板２８と後板２９間を仕切る仕切り３１が設けられている。天板２７の下方には、天板２７と前板２８の屈曲形状に略相似形状の略Ｌ字形状の底板３２が、その内側端と後端とを仕切り３１と後板２９とに溶着されて固定されており、底板３２と天板２７と前板２８と後板２９と仕切り３１とで囲まれた略Ｌ字形状の塵埃回収路３３を形成している。
【００１４】
塵埃回収路３３は、下方に向けて伸び、吸引口３４がサイドブラシ２５前側上方近傍に向けて開口する吸引路３５と、車体全長方向に伸びる塵埃通路３６とに形成されている。塵埃回収路３３の前側の吸引路３５は車幅方向外側側面が外側側板３７により塞がれている。塵埃通路３６は、車幅方向外側に向けて開口しており、その後端部分には、後板２９を屈曲形成した後外側側板３８が溶着されている。後外側側板３８の外側面には、図２、図６に示すように、密閉部材としてのスポンジ３９が貼り付けてあり、後述の開閉扉４０が閉じられたとき、開閉扉４０に密着して、サイドブラシ防塵カバー２６内の空間の密閉性を向上している。この塵埃通路３６は、後部に設けられた吸引ダクト４１に連通している。吸引ダクト４１はホッパ６の前部下面左側に設けられた塵埃吸込み口４２に接続しており、塵埃吸込み口４２からホッパ６内に設けられた吸込み通路６ａを介してホッパ６内部に連通している。この塵埃回収路３３を形成する各板２７，２８，２９，３１，３２は、サイドブラシ２５の上方を覆う上サイドブラシ防塵カバー体４３を構成している。上サイドブラシ防塵カバー体４３は、仕切り３１及び底板３２が内部で補強部材の役目をはたすので、堅牢な構造となっている。
【００１５】
また、外側側板３７の略後端位置で天板２７と底板３２の外側端には、パイプ４４が溶着されている。パイプ４４には、塵埃通路３６の側面の開口を開閉可能な扉本体４５の前端がピン連結されている。扉本体４５は、図５に示すように、断面略コ字形状をしており、その内側面には天板２７と底板３２の外側端に圧着するゴム材から成る密閉部材４６が設けられている。扉本体４５の後端にはクランプ（キャッチ）４７が設けられて開閉扉４０を構成しており、後板２９に固着された断面Ｊ字形状のフック４８に掛け止められるようになっている。更に、開閉扉４０の外側面には、外側上部防塵フラップ４９が一体的に取付けられ、開閉扉４０の一部分となっている。その外側上部防塵フラップ４９は、ゴムフラップであり、その前部４９ａは外側側板３７とプレート５１とに挟着され、開閉扉４０の開閉時には、開閉扉４０と一体に略ピン連結部分から折り曲げられるようになっている。また、前板２８と後板２９と内側側板３０には、夫々路面Ｒに先端が接地するゴムフラップである前防塵フラップ５２と後防塵フラップ５３と内側防塵フラップ５４とが取付けられている。
【００１６】
また、前記後板２９には、サイドブラシ２５のアーム５５の後端が上下方向及び車幅方向内外（左右方向）に揺動可能に設けられている。そのアーム５５の後端部分には、図７に示すように鉤形状のフラップ用ブラケット５６の後端が取付けられており、フラップ用ブラケット５６の下端部分には、ゴムフラップである外側下部防塵フラップ５７が設けられている。この外側下部防塵フラップ５７は、サイドブラシの形状に沿った略半円形のスカート形状（円錐の上部を切り取った形状）部分と略へ字形状部分とから成り、サイドブラシ２５の移動に追従して移動するようになっており、また、前記各防塵フラップ４９，５２，５３，５４，５７とでサイドブラシ２５の周囲を覆い、サイドブラシ２５の掃き寄せ動作によって舞い上がった粉塵が車体外部に飛散するのを防止している。
【００１７】
更に、シャーシ２の下部には、図８に示すように、運転席３の後から塵埃回収装置１３まで略後輪２４間幅で覆う、車幅方向一方の側方シャーシ防塵カバー（左側シャーシ防塵カバー）５８と車幅方向他方の側方シャーシ防塵カバー（右側シャーシ防塵カバー）５９と前側シャーシ防塵カバー６０とが設けられている。車幅方向一方の側方シャーシ防塵カバー５８は、シャーシ２の左側に設けられており、サイドブラシ防塵カバー２６の後端から塵埃回収装置１３前端までを覆っている。車幅方向他方の側方シャーシ防塵カバー５９は、シャーシ２の右側に設けられており、運転席３の略後端から塵埃回収装置１３前端までを覆っている。前側シャーシ防塵カバー６０は車幅方向に延び、運転席３の略背部で内側防塵フラップ５４から車幅方向他方の側方シャーシ防塵カバー５９までを覆っている。各シャーシ防塵カバー５８，５９，６０はゴムフラップから成っている。これらシャーシ防塵カバー５８，５９，６０とシャーシ２の下部とで運転席３の略後端から塵埃回収装置１３までを覆うことで、サイドブラシ２５によって車体中央に掃き寄せられた塵埃が相対的に塵埃回収装置１３まで移動し主ブラシ１５に掃き上げられるまでの間に、風によって車体側方へ通り抜けることが無くなる。また、サイドブラシ２５の掃き寄せにより飛散し塵埃回収路３３を介してホッパ６内に回収されなかった塵埃も車体外方にもらすこと無く、塵埃回収装置１３の吸引気流が各シャーシ防塵カバー５８，５９，６０で覆われた空間内に作用し、飛散した塵埃を塵埃回収装置１３まで導き、塵埃回収装置１３でも飛散した塵埃を吸込みホッパ６に回収することができ、塵埃回収路とで吸塵装置を構成する。
【００１８】
前記のようにサイドブラシ２５により舞い上がった塵埃の大部分は、上サイドブラシ防塵カバー体４３に形成された塵埃回収路３３を介してホッパ６内に吸引回収されるが、塵埃回収路３３の吸引口３４が、サイドブラシ２５により最も塵埃が舞い上がるサイドブラシ２５前部上方に位置するため、大部分の舞い上がった塵埃を効率よく吸引できる。その吸引の際に、塵埃回収路３３を通過する塵埃が塵埃回収路３３内に付着堆積する。この付着堆積した塵埃は、フック４８とクランプ４７の係合を外し、図３の２点鎖線で示すように、開閉扉４０を開いて塵埃通路３６を車幅方向外側に開放し、塵埃回収路３３内を清掃することで取り除かれる。このように、開閉扉４０を開くことで塵埃回収路３３が外側に開放されるので、保守清掃が容易に行え、吸引効率の低下をまねかない。
【００１９】
【発明の効果】
以上のように本願発明によれば、サイドブラシの周囲を覆うサイドブラシ防塵カバーに塵埃回収路を設け、塵埃回収路を吸引ダクトを介してブロアの吸引気流が作用するホッパに連通し、サイドブラシ防塵カバーに塵埃回収路の車幅方向外側に開く開口を開閉可能な開閉扉を設けたので、サイドブラシにより舞い上げられた塵埃を塵埃回収路が吸引し、塵埃回収路内に塵埃が付着堆積しても、開閉扉を開くことで、塵埃回収路内の清掃が容易にできる。その開閉扉はクランプを備えており、開閉扉を閉じた状態では、サイドブラシ防塵カバーに設けたフックとクランプとにより、塵埃回収路の車幅方向外側の開口端に密着し、吸引気流がサイドブラシ防塵カバー外に作用しないようにするので、吸引圧力の損失が防止される。また、シャーシの下部を左右のシャーシ防塵カバーと前側シャーシ防塵カバーとで覆ったので、サイドブラシに車体内側に掃き寄せられた塵埃や舞い上がった塵埃を、シャーシ後方の塵埃回収装置に回収されるまでの間にシャーシを通り抜け車体外側に出すことが無い。また、塵埃回収路の吸引口がサイドブラシの前部分に向けて開口しているので、最も塵埃が舞い上がる位置で大部分の塵埃を吸引することとなり、吸塵効率が高い。更にサイドブラシ防塵カバーは、各板を組付けて構成されているので、堅牢とすることができる。
【図面の簡単な説明】
【図１】本願発明に係る吸塵装置を備えた路面清掃車の側面図である。
【図２】サイドブラシ防塵カバーの側面図である。
【図３】サイドブラシ防塵カバーの平面図である。
【図４】サイドブラシ防塵カバーの正面図である。
【図５】図２のＶ−Ｖ線断面拡大図である。
【図６】図３のＶＩ−ＶＩ線断面図である。
【図７】外側下部防塵フラップを示す平面図である。
【図８】シャーシ防塵カバーの概要を示す図である。
【符号の説明】
１  路面清掃車
２  シャーシ
３  運転席
６  ホッパー
２５  サイドブラシ
２６  サイドブラシ防塵カバー
２７  天板
２８  前板
２９  後板
３０  内側側板
３１  仕切り
３２  底板
３３  塵埃回収路
３４  吸引口
３５  吸引路
３６  塵埃通路
３７  外側側板
４０  開閉扉
４１  吸引ダクト
４７  キャッチ
４８  フック
４９  外側防塵フラップ
５８，５９  側方シャーシ防塵カバー
６０  前側シャーシ防塵カバー
【図１】
0003841015.tif 000002
【図２】
0003841015.tif 000003
【図３】
0003841015.tif 000004
【図４】
0003841015.tif 000005
【図５】
0003841015.tif 000006
【図６】
0003841015.tif 000007
【図７】
0003841015.tif 000008
【図８】
0003841015.tif 000009